(57)【要約】【課題】駐車券を省略し、割引情報が反映された駐車料金を電子決済することができるサーバ装置を提供する。【解決手段】入（出）場口カード読取装置から一体型クレジットカードのカードＩＤと入（出）場時刻の組を受信するカードＩＤ受信部と、出場時刻と共に受信したカードＩＤに対応し、所定の店舗において所定の期間内に支払われた支払金額を照会する情報である照会情報を生成する照会情報生成部と、照会情報を所定のＰＯＳサーバに送信し、ＰＯＳサーバから支払金額の情報である照会結果を受信する照会通信部と、出場時刻および対応する入場時刻に基づいて定まる基本料金と、対応する照会結果に基づいて定まる割引金額を用いて、駐車料金の決済情報を生成する決済情報生成部と、一体型クレジットカードの発行元の装置であるカードサーバに、決済情報を送信する決済通信部を含む。【選択図】図１
2019020817.tif 000002
【特許請求の範囲】
【請求項１】
クレジットカードに電子マネー機能、ポイント機能、ＥＴＣ機能のうち少なくとも何れかの機能を集約してなる一体型クレジットカードの情報を利用するサーバ装置であって、
駐車場入場口に設置された入場口カード読取装置から前記一体型クレジットカードのカードＩＤと入場時刻の組を受信し、駐車場出場口に設置された出場口カード読取装置から前記一体型クレジットカードの前記カードＩＤと出場時刻の組を受信するカードＩＤ受信部と、
前記出場時刻と共に受信した前記カードＩＤに対応し、所定の店舗において所定の期間内に支払われた支払金額に関する情報を照会する情報である照会情報を生成する照会情報生成部と、
前記照会情報を所定のＰＯＳサーバに送信し、前記ＰＯＳサーバから前記支払金額に関する情報である照会結果を受信する照会通信部と、
前記出場時刻および対応する前記入場時刻に基づいて定まる基本料金と、対応する前記照会結果に基づいて定まる割引金額を用いて、駐車料金の決済情報を生成する決済情報生成部と、
前記一体型クレジットカードの発行元の装置であるカードサーバに、前記決済情報を送信する決済通信部
を含むサーバ装置。
【請求項２】
クレジットカードに電子マネー機能、ポイント機能、ＥＴＣ機能のうち少なくとも何れかの機能を集約してなる一体型クレジットカードの情報を利用するサーバ装置であって、
駐車場入場口に設置された入場口カード読取装置から前記一体型クレジットカードのカードＩＤと入場時刻の組を受信し、駐車場出場口に設置された出場口カード読取装置から前記一体型クレジットカードの前記カードＩＤと出場時刻の組を受信するカードＩＤ受信部と、
前記出場時刻と共に受信した前記カードＩＤに対応する前記一体型クレジットカードにより、所定の店舗において所定の期間内に支払われた支払金額に関する情報を照会する情報である照会情報を生成する照会情報生成部と、
前記照会情報を、前記一体型クレジットカードの発行元の装置であるカードサーバに送信し、前記カードサーバから前記支払金額に関する情報である照会結果を受信する照会通信部と、
前記出場時刻および対応する前記入場時刻に基づいて定まる基本料金と、対応する前記照会結果に基づいて定まる割引金額を用いて、駐車料金の決済情報を生成する決済情報生成部と、
前記カードサーバに、前記決済情報を送信する決済通信部
を含むサーバ装置。
【請求項３】
クレジットカードと紐づけられた非接触ＩＣカードの情報を利用するサーバ装置であって、
駐車場入場口に設置された入場口カード読取装置から前記非接触ＩＣカードのカードＩＤと入場時刻の組を受信し、駐車場出場口に設置された出場口カード読取装置から前記非接触ＩＣカードの前記カードＩＤと出場時刻の組を受信するカードＩＤ受信部と、
前記出場時刻と共に受信した前記カードＩＤに対応する前記非接触ＩＣカードに紐付けられた前記クレジットカードにより、所定の店舗において所定の期間内に支払われた支払金額に関する情報を照会する情報である照会情報を生成する照会情報生成部と、
前記照会情報を、前記クレジットカードの発行元の装置であるカードサーバに送信し、前記カードサーバから前記支払金額に関する情報である照会結果を受信する照会通信部と、
前記出場時刻および対応する前記入場時刻に基づいて定まる基本料金と、対応する前記照会結果に基づいて定まる割引金額を用いて、駐車料金の決済情報を生成する決済情報生成部と、
前記カードサーバに、前記決済情報を送信する決済通信部
を含むサーバ装置。
【請求項４】
請求項１から３の何れかに記載のサーバ装置であって、
前記照会結果は、
前記支払金額が所定の額を超えるか否かの情報のみを含む
サーバ装置。
【請求項５】
クレジットカードに電子マネー機能、ポイント機能、ＥＴＣ機能のうち少なくとも何れかの機能を集約してなる一体型クレジットカードの情報を利用し、少なくともサーバ装置とＰＯＳサーバを含む駐車料金請求システムであって、
前記サーバ装置は、
駐車場入場口に設置された入場口カード読取装置から前記一体型クレジットカードのカードＩＤと入場時刻の組を受信し、駐車場出場口に設置された出場口カード読取装置から前記一体型クレジットカードの前記カードＩＤと出場時刻の組を受信するカードＩＤ受信部と、
前記出場時刻と共に受信した前記カードＩＤに対応し、所定の店舗において所定の期間内に支払われた支払金額に関する情報を照会する情報である照会情報を生成する照会情報生成部と、
前記照会情報を前記ＰＯＳサーバに送信し、前記ＰＯＳサーバから前記支払金額に関する情報である照会結果を受信する照会通信部と、
前記出場時刻および対応する前記入場時刻に基づいて定まる基本料金と、対応する前記照会結果に基づいて定まる割引金額を用いて、駐車料金の決済情報を生成する決済情報生成部と、
前記一体型クレジットカードの発行元の装置であるカードサーバに、前記決済情報を送信する決済通信部
を含み、
前記ＰＯＳサーバは、
ＰＯＳレジから任意の前記カードＩＤと、任意の前記カードＩＤに対応付けられた売上金額の情報である売上情報を受信するＩＤ−売上情報受信部と、
前記サーバ装置から前記照会情報を受信する照会情報受信部と、
受信した前記照会情報に対応する前記カードＩＤに対応付けられた前記売上情報に基づいて、前記照会結果を生成する照会結果生成部と、
生成した前記照会結果を前記サーバ装置に送信する照会結果送信部と、
を含む駐車料金請求システム。
【請求項６】
クレジットカードに電子マネー機能、ポイント機能、ＥＴＣ機能のうち少なくとも何れかの機能を集約してなる一体型クレジットカードの情報を利用し、少なくともサーバ装置と、前記一体型クレジットカードの発行元の装置であるカードサーバを含む駐車料金請求システムであって、
前記サーバ装置は、
駐車場入場口に設置された入場口カード読取装置から前記一体型クレジットカードのカードＩＤと入場時刻の組を受信し、駐車場出場口に設置された出場口カード読取装置から前記一体型クレジットカードの前記カードＩＤと出場時刻の組を受信するカードＩＤ受信部と、
前記出場時刻と共に受信した前記カードＩＤに対応する前記一体型クレジットカードにより、所定の店舗において所定の期間内に支払われた支払金額に関する情報を照会する情報である照会情報を生成する照会情報生成部と、
前記照会情報を前記カードサーバに送信し、前記カードサーバから前記支払金額に関する情報である照会結果を受信する照会通信部と、
前記出場時刻および対応する前記入場時刻に基づいて定まる基本料金と、対応する前記照会結果に基づいて定まる割引金額を用いて、駐車料金の決済情報を生成する決済情報生成部と、
前記カードサーバに、前記決済情報を送信する決済通信部
を含み、
前記カードサーバは、
前記サーバ装置から前記照会情報を受信する照会情報受信部と、
受信した前記照会情報に対応する前記照会結果を生成する照会結果生成部と、
生成した前記照会結果を前記サーバ装置に送信する照会結果送信部と、
を含む駐車料金請求システム。
【請求項７】
クレジットカードと紐づけられた非接触ＩＣカードの情報を利用し、少なくともサーバ装置と、前記クレジットカードの発行元の装置であるカードサーバを含む駐車料金請求システムであって、
前記サーバ装置は、
駐車場入場口に設置された入場口カード読取装置から前記非接触ＩＣカードのカードＩＤと入場時刻の組を受信し、駐車場出場口に設置された出場口カード読取装置から前記非接触ＩＣカードの前記カードＩＤと出場時刻の組を受信するカードＩＤ受信部と、
前記出場時刻と共に受信した前記カードＩＤに対応する前記非接触ＩＣカードに紐付けられた前記クレジットカードにより、所定の店舗において所定の期間内に支払われた支払金額に関する情報を照会する情報である照会情報を生成する照会情報生成部と、
前記照会情報を前記カードサーバに送信し、前記カードサーバから前記支払金額に関する情報である照会結果を受信する照会通信部と、
前記出場時刻および対応する前記入場時刻に基づいて定まる基本料金と、対応する前記照会結果に基づいて定まる割引金額を用いて、駐車料金の決済情報を生成する決済情報生成部と、
前記カードサーバに、前記決済情報を送信する決済通信部
を含み、
前記カードサーバは、
前記サーバ装置から前記照会情報を受信する照会情報受信部と、
受信した前記照会情報に対応する前記照会結果を生成する照会結果生成部と、
生成した前記照会結果を前記サーバ装置に送信する照会結果送信部と、
を含む駐車料金請求システム。
【請求項８】
請求項５から７の何れかに記載の駐車料金請求システムであって、
前記照会結果は、
前記支払金額が所定の額を超えるか否かの情報のみを含む
駐車料金請求システム。
【請求項９】
コンピュータを請求項１から４の何れかに記載のサーバ装置として機能させるプログラム。
【発明の詳細な説明】
【技術分野】
【０００１】
本発明は、駐車料金を電子決済するサーバ装置、駐車料金精算システム、プログラムに関する。
【背景技術】
【０００２】
駐車場施設において、駐車券を省略すること、駐車料金を電子決済にすることにより利用者の利便性を向上させることが試みられている。例えば特許文献１には、ＥＴＣ機能を有する車載器に挿入されたＥＴＣカードを用いた料金支払を実現できる料金決済処理システムが開示されている。
【０００３】
特許文献１の料金決済処理システムは、ＥＴＣ機能を有する車載器１０から駐車場に設置された出口側路側機に暗号化されたＥＴＣカードのカード情報が送信され、出口側路側機は車載器から受信する暗号化された情報をそのまま通信コントロール端末に送信し、通信コントロール端末は、路側機から受信する暗号化された情報を復号すると共に、復号された情報に含まれるカード情報を決済処理サーバに送信し、決済処理サーバはカード情報の与信を行う与信処理部にて決済判断を行う。
【先行技術文献】
【特許文献】
【０００４】
【特許文献１】特開２０１４−１３４９３６号公報
【非特許文献】
【０００５】
【非特許文献１】株式会社ビューカード、”ＶＩＥＷカード−お客さまサポート−Suica定期券やMy Suica等でのオートチャージのご利用方法−Suicaにオートチャージ”、［online］、株式会社ビューカード、［平成 29年 6月 29日検索］、インターネット<URL:https://www.jreast.co.jp/card/function/autocharge/use_suica.html>
【発明の概要】
【発明が解決しようとする課題】
【０００６】
例えば店舗併設型駐車場の料金をＥＴＣ決済システムにより電子決済しようとすると、店舗利用などで利用者が獲得した駐車料金の割引情報を決済情報に反映することができない。これは、既存の店舗−駐車場間で構築されている割引サービスがＥＴＣ決済システムとリンクしていないからである。従って、特許文献１の料金決済処理システムは、割引サービスを有さない駐車場でしか利用できないという課題があった。
【０００７】
そこで本発明では、駐車券を省略し、割引情報が反映された駐車料金を電子決済することができるサーバ装置を提供することを目的とする。
【課題を解決するための手段】
【０００８】
本発明のサーバ装置は、クレジットカードに電子マネー機能、ポイント機能、ＥＴＣ機能のうち少なくとも何れかの機能を集約してなる一体型クレジットカードの情報を利用するサーバ装置であって、カードＩＤ受信部と、照会情報生成部と、照会通信部と、決済情報生成部と、決済通信部を含む。
【０００９】
カードＩＤ受信部は、駐車場入場口に設置された入場口カード読取装置から一体型クレジットカードのカードＩＤと入場時刻の組を受信し、駐車場出場口に設置された出場口カード読取装置から一体型クレジットカードのカードＩＤと出場時刻の組を受信する。
【００１０】
照会情報生成部は、出場時刻と共に受信したカードＩＤに対応し、所定の店舗において所定の期間内に支払われた支払金額に関する情報を照会する情報である照会情報を生成する。
【００１１】
照会通信部は、照会情報を所定のＰＯＳサーバに送信し、ＰＯＳサーバから支払金額に関する情報である照会結果を受信する。
【００１２】
決済情報生成部は、出場時刻および対応する入場時刻に基づいて定まる基本料金と、対応する照会結果に基づいて定まる割引金額を用いて、駐車料金の決済情報を生成する。
【００１３】
決済通信部は、一体型クレジットカードの発行元の装置であるカードサーバに、決済情報を送信する。
【発明の効果】
【００１４】
本発明のサーバ装置によれば、駐車券を省略し、割引情報が反映された駐車料金を電子決済することができる。
【図面の簡単な説明】
【００１５】
【図１】実施例１の駐車料金精算システムの概略図。
【図２】実施例１のサーバ装置の構成を示すブロック図。
【図３】実施例１のＰＯＳサーバの構成を示すブロック図。
【図４】実施例１の駐車料金精算システムの動作を示すシーケンス図。
【図５】実施例１の駐車料金精算システムの動作を示すシーケンス図。
【図６】実施例２の駐車料金精算システムの概略図。
【図７】実施例２のサーバ装置の構成を示すブロック図。
【図８】実施例２のカードサーバの構成を示すブロック図。
【図９】実施例２の駐車料金精算システムの動作を示すシーケンス図。
【図１０】実施例３の駐車料金精算システムの概略図。
【発明を実施するための形態】
【００１６】
以下、本発明の実施の形態について、詳細に説明する。なお、同じ機能を有する構成部には同じ番号を付し、重複説明を省略する。
【実施例１】
【００１７】
（用語の定義）
≪一体型クレジットカード≫
本明細書において一体型クレジットカードとは、クレジットカードに電子マネー機能、ポイント機能、ＥＴＣ機能のうち少なくとも何れかの機能を集約してなるカードを指す。有名な電子マネー機能の例として、Edy、iD、Suica、PASMO、nanaco、WAON、QUICPayなどがある（何れも登録商標）。有名なポイント機能の例として、Ｔポイント、nanacoポイント、Pontaポイント、楽天スーパーポイント、ヨドバシカメラゴールドポイント、ビックポイントなどがある（何れも登録商標、または登録商標を含む）。
【００１８】
≪カードＩＤ≫
本明細書においてカードＩＤとは、上述の一体型クレジットカード（または後述する非接触ＩＣカード）の識別情報として用いることができる情報全般を指す。例えば、クレジットカードに電子マネー機能が集約されている場合、当該カードの識別情報としては、クレジットカード番号、電子マネーカードのＩＤなどを用いることができる。例えば、クレジットカードにポイント機能が集約されている場合、当該カードの識別情報としては、クレジットカード番号、ポイントカードのＩＤなどを用いることができる。例えば、クレジットカードにＥＴＣ機能が集約されている場合、当該カードの識別情報としては、クレジットカード番号、ＥＴＣカードのＩＤなどを用いることができる。なお、クレジットカード番号は各事業者により安全に管理することが義務付けられており、端末内に保持し続けることができない場合があるため、カードＩＤとしての利用が難しい場合がある。このような場合には、電子マネーカードのＩＤ、ポイントカードのＩＤ、ＥＴＣカードのＩＤなどをカードＩＤとして利用すれば好適である。
【００１９】
≪カード読取装置≫
本明細書においてカード読取装置とは、上述の一体型クレジットカードからカードＩＤを読み取る機能を備える装置を指す。以下の実施例においてカード読取装置は、駐車場入場口、駐車場出場口、併設店舗内などに設置される。駐車場入場口に設置されたカード読取装置を入場口カード読取装置と呼称し、駐車場出場口に設置されたカード読取装置を出場口カード読取装置と呼称し、併設店舗内に設置されたカード読取装置を店舗カード読取装置と呼称する。カード読取装置は、例えば接触型の読み取り方式でカードＩＤを読み取ってもよいし、非接触型の読み取り方式でカードＩＤを読み取ってもよい。また、磁気ストライプ読み取り方式で、カードＩＤを読み取ってもよい。また、後述するＰＯＳサーバの仕様上必要な場合には、カード読取装置は一つのカードに含まれる複数のカードＩＤを同時に読み取って対応付けてもよい。
【００２０】
≪サーバ装置≫
本明細書においてサーバ装置とは、駐車場管理会社などが管理するサーバ装置を指す。
【００２１】
≪ＰＯＳレジ≫
本明細書においてＰＯＳレジとは、ＰＯＳ(Point Of Sales)システムを搭載したキャッシュレジスターであって、後述するＰＯＳサーバとＰＯＳシステムにより通信可能なキャッシュレジスターを指す。ＰＯＳレジは上述の店舗カード読取装置と有線または無線で接続されており、店舗カード読取装置が読み取ったカードＩＤを取得することができるものとする。
【００２２】
≪ＰＯＳサーバ≫
本明細書においてＰＯＳサーバとは、ＰＯＳシステムに則り、上述のＰＯＳレジから送信された売上情報の集計などを実行する装置を指す。本明細書におけるＰＯＳサーバは、売上情報とカードＩＤとを対応付けて記憶する機能を有する。
【００２３】
≪カードサーバ≫
本明細書においてカードサーバとは、上述の一体型クレジットカード（または後述する非接触ＩＣカードに紐付けられたクレジットカード）の発行元（イシュアー）が管理する装置であって、ユーザに対して駐車料金の請求処理などを実行する装置である。
【００２４】
≪クレジットカードと紐付けられた非接触ＩＣカード≫
本明細書においてクレジットカードと紐付けられた非接触ＩＣカードとは、クレジットカード会社が管理するデータベース上で、予め特定のクレジットカード番号と紐づけられている非接触ＩＣカードを指す。このような非接触ＩＣカードの典型的な例として、オートチャージ機能を備える非接触ＩＣカードが挙げられる。例えば非特許文献１には、オートチャージしたいsuica（登録商標）と、決済用のビューカード（登録商標）をリンクさせることで、suica（登録商標）にオートチャージ機能を付与する方法が開示されている。
（用語の定義おわり）
【００２５】
以下、図１を参照して実施例１の駐車料金精算システムの構成を説明する。同図に示すように、本実施例の駐車料金精算システム１は、入場口カード読取装置１１と、サーバ装置１２と、ＰＯＳレジ１３と、店舗カード読取装置１３ａと、ＰＯＳサーバ１４と、出場口カード読取装置１５と、カードサーバ１６を含む構成である。入場口カード読取装置１１とサーバ装置１２は、ネットワーク９１により通信可能に接続されている。ＰＯＳレジ１３とＰＯＳサーバ１４は、ネットワーク９２により通信可能に接続されている。ＰＯＳサーバ１４とサーバ装置１２は、ネットワーク９３により通信可能に接続されている。出場口カード読取装置１５とサーバ装置１２は、ネットワーク９４により通信可能に接続されている。サーバ装置１２とカードサーバ１６は、ネットワーク９５により通信可能に接続されている。カードサーバ１６は、ネットワーク９６により、他の任意のサーバ装置（図示略）などと通信可能に接続されている。ネットワーク９１、ネットワーク９４は、ＬＡＮ(Local Area Network)などでよい。ネットワーク９２は、例えばＰＯＳシステム専用の閉じられたネットワークである。ネットワーク９３は、本実施例のサーバ装置１２がＰＯＳサーバ１４にアクセスするために特別に設けられたネットワークである。ネットワーク９５は、本実施例のサーバ装置１２がカードサーバ１６と通信できるように特別に設けられたネットワークであってもよいし、通常のインターネットであってもよい。ネットワーク９６は、通常のインターネットでよい。
【００２６】
本実施例のユーザは、同図に示す一体型クレジットカード８を利用して駐車場に入場し、店舗内で支払いを行い、駐車場から出場するものとする。
【００２７】
図２に示すように、本実施例のサーバ装置１２は、カードＩＤ受信部１２１と、ＩＤ−時刻記憶部１２２と、照会情報生成部１２３と、照会通信部１２４と、決済情報生成部１２５と、決済通信部１２６を含む。
【００２８】
図３に示すように、本実施例のＰＯＳサーバ１４は、ＩＤ−売上情報受信部１４１と、ＩＤ−売上情報記憶部１４２と、照会情報受信部１４３と、照会結果生成部１４４と、照会結果送信部１４５を含む。なお、本実施例では、入場口カード読取装置１１、ＰＯＳレジ１３、出場口カード読取装置１５、カードサーバ１６内の構成については割愛した。以下、図４、図５を参照して、各装置の動作について説明する。
【００２９】
図４に示すように、入場口カード読取装置１１は、ユーザが一体型クレジットカード８を入場口カード読取装置１１に読み込ませた（かざした、接触させた、あるいは同装置に挿入した等の）場合に、一体型クレジットカード８の情報を読み取る（Ｓ１１１）。
【００３０】
入場口カード読取装置１１は、読み取った情報からカードＩＤを抽出し、情報を読み取った時刻を入場時刻として、カードＩＤと入場時刻の組をサーバ装置１２に送信する（Ｓ１１２）。
【００３１】
サーバ装置１２のカードＩＤ受信部１２１は、入場口カード読取装置１１から一体型クレジットカード８のカードＩＤと入場時刻の組を受信する（Ｓ１２１Ａ）。サーバ装置１２のＩＤ−時刻記憶部１２２は、受信したカードＩＤと入場時刻の組を記憶する（Ｓ１２２Ａ）。
【００３２】
上述のステップＳ１１１〜Ｓ１２２Ａは、ユーザが入場口カード読取装置１１に一体型クレジットカード８を読み込ませる動作を行うたびに実行される。
【００３３】
ＰＯＳレジ１３は、ユーザが一体型クレジットカード８を店舗カード読取装置１３ａに読み込ませた（かざした、接触させた、あるいは同装置に挿入した等の）場合に、一体型クレジットカード８の情報を読み取る（Ｓ１３１）。ＰＯＳレジ１３は、読み取った情報からカードＩＤを抽出し、抽出したカードＩＤと、（店員の手動操作などにより）これに対応付けられた売上金額の情報（売上情報）をＰＯＳサーバ１４に送信する（Ｓ１３２）。
【００３４】
ＰＯＳサーバ１４のＩＤ−売上情報受信部１４１は、ＰＯＳレジ１３からカードＩＤと、カードＩＤに対応付けられた売上情報を受信する（Ｓ１４１）。ＰＯＳサーバ１４のＩＤ−売上情報記憶部１４２は、受信したカードＩＤと売上情報の組を記憶する（Ｓ１４２）。
【００３５】
上述のステップＳ１３１〜Ｓ１４２は、ユーザが店舗カード読取装置１３ａに一体型クレジットカード８を読み込ませる動作を行うたびに実行される。
【００３６】
図５に示すように、出場口カード読取装置１５は、ユーザが一体型クレジットカード８を出場口カード読取装置１５に読み込ませた（かざした、接触させた、あるいは同装置に挿入した等の）場合に、一体型クレジットカード８の情報を読み取る（Ｓ１５１）。
【００３７】
出場口カード読取装置１５は、読み取った情報からカードＩＤを抽出し、情報を読み取った時刻を出場時刻として、カードＩＤと出場時刻の組をサーバ装置１２に送信する（ＳＳ１５２）。
【００３８】
サーバ装置１２のカードＩＤ受信部１２１は、出場口カード読取装置１５から一体型クレジットカード８のカードＩＤと出場時刻の組を受信する（Ｓ１２１Ｂ）。サーバ装置１２のＩＤ−時刻記憶部１２２は、受信したカードＩＤと出場時刻の組を記憶する（Ｓ１２２Ｂ）。サーバ装置１２の照会情報生成部１２３は、照会情報を生成する（Ｓ１２３）。照会情報とは、上述の出場時刻と共に受信したカードＩＤに対応し、所定の店舗において所定の期間内に支払われた支払金額に関する情報を照会する（問い合わせる）情報を意味する。ここでいう所定の店舗は、該当駐車場の割引サービスに加入している店舗に該当する。例えば該当駐車場がショッピングモール併設の駐車場である場合、ショッピングモール内で営業する店舗は、所定の店舗に該当する。また、ここでいう所定の期間は、例えば入場時刻と出場時刻の間の期間を指す。また、照会情報は支払金額そのものを照会する情報でなくてもよく、例えば支払金額が所定の額を超えるか否かを照会する情報などであってもよい。例えば照会情報生成部１２３は、支払金額が３０００円を超えるか否かを照会する照会情報を生成してもよい。また照会情報生成部１２３は、支払金額が３０００円を超えるか否かの照会に加え、支払金額が５０００円を超えるか否かを同時に照会する照会情報を生成してもよい。サーバ装置１２の照会通信部１２４は、上述の照会情報をＰＯＳサーバ１４に送信する（Ｓ１２４Ａ）。  ＰＯＳサーバ１４の照会情報受信部１４３は、サーバ装置１２から照会情報を受信する（Ｓ１４３）。ＰＯＳサーバ１４の照会結果生成部１４４は、受信した照会情報に対応するカードＩＤに対応付けられた売上情報に基づいて、支払金額に関する情報である照会結果を生成する（Ｓ１４４）。ＰＯＳサーバ１４の照会結果送信部１４５は、生成した照会結果をサーバ装置１２に送信する（Ｓ１４５）。
【００３９】
サーバ装置１２の照会通信部１２４は、ＰＯＳサーバ１４から上述の照会結果を受信する（Ｓ１２４Ｂ）。サーバ装置１２の決済情報生成部１２５は、出場時刻および対応する入場時刻に基づいて定まる基本料金と、対応する照会結果に基づいて定まる割引金額を用いて、駐車料金の決済情報を生成する（Ｓ１２５）。例えば決済情報生成部１２５は、出場時刻および対応する入場時刻の差分から求まる駐車時間（例えば１５分単位、端数切り上げ）に基づいて、基本料金を計算し（例えば１５分あたり２００円）、対応する照会結果が所定の額を超えるか否か（例えば照会結果が３０００円を超えるか否か）に基づいて定まる割引金額（例えば最初の２時間の駐車料金に相当する金額）を計算し、基本料金から割引金額を差し引いて駐車料金を計算し、駐車料金の決済情報を生成する。サーバ装置１２の決済通信部１２６は、カードサーバ１６に決済情報を送信する（Ｓ１２６）。
【００４０】
カードサーバ１６は、サーバ装置１２から決済情報を受信する（Ｓ１６１）。カードサーバ１６は、決済情報に基づいて、所定の請求処理を実行する（Ｓ１６２）。
【００４１】
上述のステップＳ１５１〜Ｓ１６２は、ユーザが出場口カード読取装置１５に一体型クレジットカード８を読み込ませる動作を行うたびに実行される。
【００４２】
このように、本実施例の駐車料金精算システム１、サーバ装置１２、ＰＯＳサーバ１４によれば、一体型クレジットカード８のカードＩＤを各種の情報と対応付けて処理することにより、駐車券を省略し、割引情報が反映された駐車料金を電子決済することができる。
【実施例２】
【００４３】
以下、図６を参照して実施例２の駐車料金精算システムの構成を説明する。同図に示すように、本実施例の駐車料金精算システム２は、入場口カード読取装置１１と、サーバ装置２２と、出場口カード読取装置１５と、カードサーバ２６を含む構成である。
【００４４】
実施例１の駐車料金精算システム１に存在したＰＯＳレジ１３と、店舗カード読取装置１３ａと、ＰＯＳサーバ１４は、本実施例の駐車料金精算システム２には存在しない。また、実施例１のサーバ装置１２は、本実施例においてサーバ装置２２に変更され、実施例１のカードサーバ１６は、本実施例においてカードサーバ２６に変更されている。
【００４５】
図７に示すように、本実施例のサーバ装置２２は、カードＩＤ受信部１２１と、ＩＤ−時刻記憶部１２２と、照会情報生成部２２３と、照会通信部２２４と、決済情報生成部１２５と、決済通信部１２６を含み、照会情報生成部２２３と、照会通信部２２４以外の構成は、実施例１のサーバ装置１２と同じである。
【００４６】
図８に示すように、本実施例のカードサーバ２６は、照会情報受信部１４３と、照会結果生成部１４４と、照会結果送信部１４５と、決済情報受信部１６１と、決済処理部１６２を含む。なお、本実施例では、入場口カード読取装置１１、出場口カード読取装置１５内の構成については割愛した。
【００４７】
本実施例の駐車料金精算システム２は、実施例１で説明したステップＳ１１１、Ｓ１１２、Ｓ１２１Ａ、Ｓ１２２Ａ、Ｓ１５１、Ｓ１５２、Ｓ１２１Ｂ、Ｓ１２２Ｂ、Ｓ１４３、Ｓ１４４、Ｓ１４５、Ｓ１２５、Ｓ１２６、Ｓ１６１、Ｓ１６２を実施例１と同様に実行する。なお、ステップＳ１６１の実行主体は決済情報受信部１６１であり、ステップＳ１６２の実行主体は決済処理部１６２である。以下、図９を参照して、実施例１と異なる動作について説明する。
【００４８】
サーバ装置２２の照会情報生成部２２３は、出場時刻と共に受信したカードＩＤに対応する一体型クレジットカード８により、所定の店舗において所定の期間内に支払われた支払金額に関する情報を照会する情報である照会情報を生成する（Ｓ２２３）。サーバ装置２２の照会通信部２２４は、照会情報をカードサーバ２６に送信する（Ｓ２２４Ａ）。サーバ装置２２の照会通信部２２４は、カードサーバ２６から照会結果を受信する（Ｓ２２４Ｂ）。
【００４９】
実施例１のステップＳ１２３において、照会情報は、「カードＩＤに対応して…」支払われた支払金額に関する情報を照会する（問い合わせる）情報を意味したのに対し、本実施例のステップＳ２２３では、照会情報は、「一体型クレジットカード８により…」支払われた支払金額に関する情報を照会する（問い合わせる）情報を意味する。実施例１と同様に、照会情報は支払金額そのものを照会する情報でなくてもよく、例えば支払金額が所定の額を超えるか否かを照会する情報などであってもよい。例えば照会情報生成部２２３は、支払金額が３０００円を超えるか否かを照会する照会情報を生成してもよい。また照会情報生成部２２３は、支払金額が３０００円を超えるか否かの照会に加え、支払金額が５０００円を超えるか否かを同時に照会する照会情報を生成してもよい。
【００５０】
本実施例における照会先は、一体型クレジットカード８の発行元（イシュアー）が管理するカードサーバ２６である。従って、発行元において支払金額そのものは個人情報扱いとされ、発行元が定める個人情報の取り扱いルールに抵触するなどの理由から、支払金額そのものの照会が不可能とされるケースも考えられる。そこで、上述のように、「支払金額に関する情報」を照会することとし、支払金額そのものを照会しないこととすれば、発行元が定める個人情報の取り扱いルールに抵触しにくくなり、好適である。
【００５１】
上述した理由により、ステップＳ１４４では、支払金額そのものを通知する照会結果を生成するよりも、支払金額そのものではない「支払金額に関する情報」を通知する照会結果を生成するほうが好適な場合がある。例えば照会情報が、支払金額が所定の額を超えるか否かを照会する情報であった場合、照会結果としては支払金額が所定の額を超えるか否かの情報のみ（例えばＹＥＳまたはＮＯの何れかを通知する情報のみ）で足りる。例えば照会情報が、支払金額が３０００円を超えるか否かの照会に加え、支払金額が５０００円を超えるか否かを同時に照会する内容であった場合、照会結果としてはＹＥＳまたはＮＯをそれぞれに対して通知する内容であってもよいし、支払金額が３０００円を超えない場合に数値０を、支払金額が３０００円を超えるが、５０００円を超えない場合に数値１を、支払金額が５０００円を超える場合に数値２を通知する内容であってもよい。
【００５２】
このように、本実施例の駐車料金精算システム２、サーバ装置２２、カードサーバ２６によれば、一体型クレジットカード８のカードＩＤがクレジットカード番号と対応付けられていることを利用し、当該カードＩＤを利用してカードサーバ２６に照会を行うことによって、実施例１と同様の効果を達成した。実施例２では、実施例１に存在したＰＯＳシステムを割愛することができたため、実施例１よりもさらに簡易にシステムを構築することができる。
【実施例３】
【００５３】
以下、図１０を参照して実施例３の駐車料金精算システム３について説明する。同図に示すように、本実施例の駐車料金精算システム３は、入場口カード読取装置１１と、サーバ装置３２と、出場口カード読取装置１５と、カードサーバ３６を含む構成である。
【００５４】
本実施例は、実施例２をベースにして使用するカードを変更した実施例である。実施例２では、一体型クレジットカード８が使用されたが、本実施例においては、クレジットカードと、これに紐付けられた非接触ＩＣカード７が用いられる。以下、実施例２と異なる点について説明する。
【００５５】
＜カードＩＤについて＞
実施例２においてカードＩＤは、一体型クレジットカード８のカードＩＤであったが、本実施例におけるカードＩＤは、クレジットカードと紐付けられた非接触ＩＣカード７のカードＩＤである。
【００５６】
＜カードサーバについて＞
実施例２においてカードサーバ２６は、一体型クレジットカード８の発行元が管理する装置であったが、本実施例におけるカードサーバ３６は、非接触ＩＣカード７と紐付いたクレジットカードの発行元が管理する装置である。
【００５７】
＜照会情報について＞
実施例２において照会情報は、一体型クレジットカード８により、所定の店舗において所定の期間内に支払われた支払金額に関する情報を照会する情報であったが、本実施例において照会情報は、非接触ＩＣカード７と紐付いたクレジットカードにより、所定の店舗において所定の期間内に支払われた支払金額に関する情報を照会する情報を意味する。
【００５８】
このように、本実施例の駐車料金精算システム３、サーバ装置３２、カードサーバ３６によれば、非接触ＩＣカード７のカードＩＤがクレジットカード番号と紐づけられていることを利用し、当該カードＩＤを利用してカードサーバ３６に照会を行うことによって、実施例２と同様の効果を達成した。
【００５９】
＜変形例：割引管理装置の追加＞
例えば実施例１におけるサーバ装置１２とＰＯＳサーバ１４を中継する装置（割引管理装置）を設けてもよい。この場合、ＰＯＳサーバ１４の照会結果送信部１４５は、生成した照会結果をサーバ装置１２ではなく割引管理装置に送信する。
【００６０】
この場合、割引管理装置は、受信した照会結果に基づいて割引金額の計算を行い、計算した割引金額をサーバ装置１２に送信する。
【００６１】
サーバ装置１２とＰＯＳサーバ１４を中継する割引管理装置を設けることにより、サーバ装置１２は、照会結果を知る必要がなくなるため、割引管理装置をＰＯＳシステム側の管理とすれば、個人情報の保護の観点から好適である。
【００６２】
＜変形例：暗号化、トークン化＞
上述の実施例において各装置が送受信するカードＩＤは、暗号化、またはトークン化したうえで送信されてもよい。暗号化の具体的方法としてハッシュ関数を用いてもよい。
【００６３】
＜変形例：ＰＣＩＤＳＳ(Payment Card Industry Data Security Standard)対応＞
上述の実施例のシステムは、クレジットカード情報を取り扱うため、システム全体をＰＣＩＤＳＳの要件を充たすように設計してもよい。
【００６４】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００６５】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００６６】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００６７】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００６８】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００６９】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００７０】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００７１】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００７２】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2019020817.tif 000003
【図２】
2019020817.tif 000004
【図３】
2019020817.tif 000005
【図４】
2019020817.tif 000006
【図５】
2019020817.tif 000007
【図６】
2019020817.tif 000008
【図７】
2019020817.tif 000009
【図８】
2019020817.tif 000010
【図９】
2019020817.tif 000011
【図１０】
2019020817.tif 000012